(57)【特許請求の範囲】
【請求項１】
対象物の一方（３１）に担持される柱形態の第一バックル部材（８０）、および対象物の他方（１２２）に連結され第一バックル部材を受けかつラッチ装置を含むリング形本体の形態の第二バックル部材（７０）を含み、前記ラッチ装置が第二バックル部材（７０）を第一バックル部材（８０）に対して軸方向に係止させることができ第一バックル部材に係止された第二バックル部材を第一バックル部材を中心に回転させることができ、
前記ラッチ装置は、第二バックル部材（７０）のリング形本体の外側に露出するプレスキー（７２）、およびラッチショルダ（７４）を有する二つのキャリア要素（７３）を含み、
前記キャリア要素は、相互に対してバネ付勢されて、前記ラッチショルダ（７４）を第一バックル部材（８０）のウエスト部（８２）の相互に反対の側に係合させ、かつ
前記キャリア要素は、前記プレスキー（７２）が相互に向けて直径方向へプレスされるときに、前記ウエスト部から前記ラッチショルダ（７４）を自由に移動させるように形成されている、対象物に取外し可能に連結するためのバックル装置において、
第二バックル部材（７０）は、第二バックル部材の開口軸を画成する相互に対峙する二つのキャリア要素（７３）を含み、
第一バックル部材（８０）は端ストッパ（８３）を有し、
各前記キャリア要素（７３）のプレスキー（７２）からラッチショルダ（７４）への軸方向の距離が相互に同一であり、
二つの前記キャリア要素（７３）は相互に同一形態のリング形要素でありかつ前記ラッチショルダ（７４）の一方の縁から概ね直角に他方の縁へ向って延在する一体的バネ脚（７５）を有し、
それぞれの前記キャリア要素のバネ脚（７５）は他方のキャリア要素のプレスキーの内側を付勢し、
第二バックル部材（７０）は、第一バックル部材を受ける開口軸に対して垂直に直径方向に貫通するチャンネル（７７）を有するリング形ハウジング（７６）を含み、
前記プレスキーおよび前記ラッチショルダは前記キャリア要素（７３）内の開口部（８７）に対して直径方向反対位置に形成され、
二つの前記キャリア要素は前記開口部（８７）により概ね整合した状態で相互に反対方向において平行に結合され、
共に結合された前記キャリア要素は前記チャンネル（７７）の断面に適合する断面を有し、
前記キャリア要素に形成された突起（１７６）および第二バックル部材（７０）のハウジング内に形成された壁孔が前記ハウジング内に前記キャリア要素を保持する作用をし、かつ
前記ハウジング（７６）は円錐形自由端（８１）を含むことを特徴とする、バックル装置。
【請求項２】
前記ハウジング内のチャンネル（７７）は、概ね矩形断面を有し、かつ前記キャリア要素の一縁に形成された突起（１７６）を受ける作用をする壁孔を長手に沿って中間に含み、かつ
前記ハウジング（７６）のチャンネル壁は、二つの前記キャリア要素（７３）がそのチャンネル（７７）へ共に挿入されるときに、前記突起（１７６）のための空間を提供するために外方に弾性変形することを特徴とする、請求項１によるバックル装置。
【請求項３】
前記ハウジング（７６）は、ストラップ（６６）の一端部が貫通するスロット（７１）を含む円錐形自由端（８１）を含み、前記ストラップの一端部にシーム（６９）により連結され、かつ前記ストラップの他端部は調整取付具（６１）に連結されていることを特徴とする、請求項１または２によるバックル装置。
【請求項４】
第一バックル部材（８０）のウエスト部は、第二バックル部材（７０）の主面に対する端ストッパ（８３）を形成する相対的に幅広い底プレートと、拡大頭部との間の相対的に幅狭い中間部で構成され、かつ一方の前記キャリア要素（７３）のラッチショルダ（７４）は他方の前記キャリア要素（７３）のバネ脚（７５）と共働する概ね平行の対向（８８，８８’）を有することを特徴とする、請求項１〜３のいずれか１によるバックル装置。
【請求項５】
前記第一および第二バックル部材（８０，７０）はウエストベルトの端（３１’，１２５’）に取り付けられていることを特徴とする、請求項１〜４のいずれか１によるバックル装置。
【請求項６】
子供支持ハーネスのチエストストラップ（３１）と、前記ハーネスと共に子供運搬ポーチを内部に形成する前片（２２）の上縁部の側端との間で使用される、請求項１〜５のいずれか１によるバックル装置。
【発明の詳細な説明】
【技術分野】
【０００１】
本発明は請求項１の導入部に記載のタイプのバックル装置に関する。
【背景技術】
【０００２】
この種のバックル装置はある種の使用に関して当分野で知られている。
【０００３】
【特許文献１】ＳＥ０００１７００−４
【発明の開示】
【発明が解決しようとする課題】
【０００４】
本発明の課題は、バックル装置の二つの主部材を片手で容易に締結および締結解除でき、その主部材間を確実、安全に連結し、一方のフラットなリング形バックル部材の他方の柱形態のバックル部材への二つの結合位置における効果的結合を可能にし、かつ子供が容易に開放できないバックル装置の新規設計を提供することにある。
【０００５】
本発明の他の課題は、子供支持安全ハーネス、ベビーシッタ、上記課題および他の好ましい効果を達成するのに望ましい同様の性質を有する他の構造物に使用するためのバックル装置を提供することにある。
【０００６】
本発明の他の課題は、製造および組立ての観点から望ましいバックル装置を提供することにある。他の課題は、バックル部材がストラップ等の可撓性連結要素に予め取り付けられ、例えば縫付ける等により、他の対象物もしくは物品に容易に連結できるバックルまたはカップリング装置設計を提供することである。
【０００７】
本発明の他の課題は、一方のバックル部材を物品に連結することとの関係で一方のバックル部材が物品に締結できる調整手段を装備し、かつ調整手段の一端部がその一方のバックル部材に連結できる形態のバックル装置を提供することである。
【課題を解決するための手段】
【０００８】
上記課題は本発明により全体的または部分的に達成される。
本発明は請求項１に記載されている。
即ち、本発明によるバックル装置は、対象物の一方に担持される柱形態の第一バックル部材、および対象物の他方に連結され第一バックル部材を受けかつラッチ装置を含むリング形本体の形態の第二バックル部材を含み、前記ラッチ装置が第二バックル部材を第一バックル部材に対して軸方向に係止させることができ第一バックル部材に係止された第二バックル部材を第一バックル部材を中心に回転させることができる、対象物に取外し可能に連結するためのバックル装置において、
前記ラッチ装置は、第二バックル部材のリング形本体の外側に露出するプレスキー、およびラッチショルダを有する二つのキャリア要素を含み、前記キャリア要素は、相互に対してバネ付勢されて、前記ラッチショルダを第一バックル部材のウエスト部の相互に反対の側に係合させ、かつ前記キャリア要素は、前記プレスキーが相互に向けて直径方向へプレスされるときに、前記ウエスト部から前記ラッチショルダを自由に移動させるように形成されていることを特徴とする。
【０００９】
本発明の他の形態は従属請求項で明らかにされている。
好適形態において、第二バックル部材は、第二バックル部材の開放軸を形成する相互に対峙する二つのキャリア要素を有し、第一バックル部材は、第二バックル部材と共働する端ストッパを有し、各前記プレスキーから前記ラッチショルダへの軸方向の距離が相互に同一であり、かつ第二バックル部材の一つの主面は、前記ラッチショルダが前記ウエスト部と係合するときに、前記第一バックル部材の端ストッパに当接することを特徴とする。
他の好適形態において、第二バックル部材は、第一バックル部材を受ける開口軸に対して垂直に直径方向に貫通するチャンネルを有するリング形ハウジングを含み、二つの前記キャリア要素は相互に同一のリング形要素の形態でありかつ一体的バネ脚を有し、前記プレスキーおよび前記ラッチショルダは前記キャリア要素内の開口部に対して直径方向反対位置に形成され、二つの前記キャリア要素は前記開口部により概ね整合した状態で相互に反対方向において平行に結合され、一方の前記キャリア要素のバネ脚は他方のキャリア要素のプレスキーの内側を付勢し、かつその逆も同様であり、共に結合された前記キャリア要素は前記チャンネルの断面に適合する断面を有し、かつ前記キャリア要素に形成された突起および第二バックル部材に形成された壁孔が前記ハウジング内に前記キャリア要素を保持する作用をすることを特徴とする。
他の好適形態において、前記ハウジング内のチャンネルは、概ね矩形断面を有し、かつ前記キャリア要素の一縁に形成された突起を受ける作用をする壁孔を長手に沿って中間に含み、かつ前記ハウジングのチャンネル壁は、二つの前記キャリア要素がそのチャンネルへ共に挿入されるときに、前記突起のための空間を提供するために外方に弾性変形することを特徴とする。
他の好適形態において、前記ハウジングは円錐形自由端を含むことを特徴とする。
他の好適形態において、前記ハウジングは、対象物であるストラップの一端部が貫通するスロットを含む円錐形自由端を含み、前記ストラップの一端部にシームにより連結され、かつ前記ストラップの他端部は調整取付具に連結されていることを特徴とする。
他の好適形態において、第一バックル部材のウエスト部は、第二バックル部材の主面に対する端ストッパを形成する相対的に幅広い底プレートと、拡大頭部との間の相対的に幅狭い中間部で構成され、かつ一方の前記キャリア要素のラッチショルダは他方の前記キャリア要素のバネ脚と共働する概ね平行の端面を有することを特徴とする。
好適形態において、本発明によるバックル装置は、前記第一および第二バックル部材はウエストベルトの端に取り付けられ得る。
好適形態において、本発明によるバックル装置は、子供支持ハーネスのチエストストラップと、前記ハーネスと共に子供運搬ポーチを内部に形成する前片の上縁部の側端との間で使用され得る。
【００１０】
要約すれば、本発明によるバックル装置は先端に拡大頭部を形成する自由端を有しかつウエスト部を有する柱形態の第一バックル部材、および第一バックル部材を受ける開口部を有しかつバネ等のテンション装置によって前記ウエスト部を把持するラッチ装置を有するリング形本体の形態の第二バックル部材を含む。第二バックル部材は第一バックル部材を中心に回転可能である。
本発明の好適形態において、前記ラッチ装置は二つのラッチ要素、即ち、本明細書でキャリア要素として説明されているラッチ要素を含み、各前記ラッチ要素は前記ウエスト部と係合するラッチショルダ、および第二バックル部材の外側に露出するプレスキーを有し、二つの前記ラッチ要素が結合されたときに、前記プレスキーはバネの作用に対して前記ラッチショルダを分離移動させる作用をし、前記ラッチショルダを前記ウエスト部との係合から解放し、かつ第二バックル部材の第一バックル部材からの離脱を可能にする。第二バックル部材は第一バックル部材を中心に回転するように構成されるのが便利である。第一バックル部材の自由端は圧迫（wedging)作用をして、第二バックル部材を第一バックル部材へ通過させるときにバネ付勢に対する前記ラッチ要素の復帰を可能にする。
【００１１】
本発明によるバックル装置は、例えばＳＥ０００１７０−４に開示の第一バックル部材がチエストストラップの外側で前方に突出するタイプの、子供支持ハーネスのチエストストラップと前片の上縁領域の側端との間に適宜に使用できる。
【００１２】
前記バックル装置は更に、ベビーシッタの場合に、ベビーシッタのストラップまたはベルトの端部間で相互に取外し自在に連結して使用できる。
【発明の効果】
【００１３】
本発明は次の利点を有する。
【００１４】
第二バックル部材の第一バックル部材を中心とする回転はバックル装置およびそれに連結されたハーネス部材におけるストレスを最小限にする。
【００１５】
第二バックル部材の第一バックル部材への形状結合によるラッチは子供支持ハーネスに特に重要な実質的安全装置を構成する。
【００１６】
第二バックル部材は水平リング直径を中心に１８０°回転可能でありかつ二つの回転位置で第一バックル部材に同等に確実に連結され得る。このことは前片の上折り畳み可能部が上縁部の下降位置および上昇位置もしくは起立位置の両位置でチエストストラップに連結できる事実に鑑み好ましいことである。
【００１７】
第二バックル部材は、前片の平面における水平軸を中心とする回転に対して、回転不可能に第一バックル部材に連結される。このことは、第二バックル部材が前片の弾性により折り畳み可能な上縁領域へ回転不可能に連結される場合に特に重要である。これは、かかる回転不能が、上縁領域のその弾性による上昇傾向にかかわらず、前片の上縁領域を下方折り畳み位置に維持することに寄与するからである。
【００１８】
ユーザは本発明によるバックル装置を片手で容易に締結できる。例えば、第一バックル部材下のチエストストラップ背後に隣接して手の親指を置き、同じ手の人差し指または中指により第一バックル部材上からリングを押すか、または第一バックル部材が安定支持面上に取り付けられている場合には第一バックル部材に対してリングを押し下げればよい。
【００１９】
ユーザは手の親指と、隣接する人差し指で第二バックル部材上に相互に反対側に設置されたラッチキーもしくはプレスキーを操縦することによりバックル装置の締結を容易に解除もしくは解放できる。
【００２０】
本発明によるバックル装置は、第二バックル部材のラッチ要素が第一バックル部材のウエスト部へスナップ係止するときにバネが緊張し、明瞭な音声信号を発生する。
【００２１】
本発明によるバックル装置は、第二バックル部材のラッチ要素が第一バックル部材の底面の当接ストッパ面に接触するときに実質的に第一バックル部材のウエスト部に、第二バックル部材が第一バックル部材上で相互に１８０°離れた二つの位置で、係止するように設計できる。
【発明を実施するための最良の形態】
【００２２】
例えばＳＥ０００１７００−４に記載のタイプの子供支持ハーネスは、子供運搬ポーチを形成できる可撓性シート状前片を担持するハーネス装置を含む。前片２２は、水平折り線１２４を介して下方に垂れ下がりかつ前片２２の下部（実際のポーチを形成する下部）から上昇する上縁部１２２を含む。前片２２は折り線１２４のレベルに側開口部１２３を有する。上縁部１２２は子供が起きたときに下降させることができる。
【００２３】
子供が休憩したり睡眠するときに、上縁部１２２は上昇でき、かつその両側の側端１２５は取外し自在のバックル装置によってハーネスのチエストストラップ３１の隣接部に連結できる。バックル装置の一方の部材である第二バックル部材７０は側端１２５の頂点へ連結されかつバックル装置の他方の部材である第一バックル部材８０はチエストストラップ３１に連結される。
【００２４】
上縁部１２２は少なくとも側端１２５、そして折り線１２４を中心とする折り曲げ部分に関して可撓性である。第一および第二バックル部材８０，７０は小さい子かつ／または眠っている子供に対してヘッドサポートを形成するために上縁部１２２と共働する。
【００２５】
図２は、バックル装置の第一バックル部材７０が第二バックル部材７０内のスロット状開口部７１へ延びたストラップ６６の一端部を通るシーム６９によって上縁部１２２の側端１２５へ回転不可能に連結されていることを示す。シーム６９はストラップ６６の端部および前片２２の両方へ適宜侵入している。
【００２６】
前片２２の対称線の中央部分にシーム６２により上縁部１２２に調整取付具６１が連結されている。調整取付具６１は二つの貫通孔を有し、二つの貫通孔はクロスバー６４により相互から分離している。ストラップ６６の自由端は貫通孔６３からクロスバー６４のまわりを通過する。ストラップの自由端６７はフィンガグリップ６８を含み、フィンガグリップはストラップが調整取付具６１の貫通孔から脱出するのを阻止する。調整取付具６１は既知方法によりストラップ６６と共働し、クロスバー６４とシーム６９間のストラップ６６の有効長が、ストラップ端６７を引っ張りかつ調整取付具６１をシーム６２を中心にして上昇させ、それによりストラップ６６の調整取付具６１からの摺動を可能にすることにより調整できるように構成される。
【００２７】
ストラップ６６は概ね水平に配置されている。
【００２８】
図２から理解されるように、ストラップ装置６０はバックル装置の一方の第二バックル部材７０と調整取付具６１との間の間隔の選択的調整を可能にし、側端１２５は、図２に示された形態においてシーム６２の近傍で概ね垂直の折り線１２７を中心に部分的に、かつ長手方向中央部の折り線１２８で部分的に、自然に折り曲がる。シーム６９と折り線１２８間の部分１３０は装着者の胸の当たりに設置され、かつ折り線１２７と１２８間の部分１３１は概ねフラット状態を維持し、装着者の胸の表面に対する角度はストラップ６６の有効長により変化する。部分１３１は子供の頭部に対して快適支持面を形成する。この装置は更に子供の頭部が受けやすい圧迫（wedging)作用を解消する。
【００２９】
理解されるように、折り曲がり表示／折り線１２７，１２８は前片２２に設けられ、その表示場所での折り曲げを確実にする。
【００３０】
理解されるように、ストラップ装置６０は、上縁部１２２が前片２２の下部に垂れ下がっても、アクセス可能かつ操縦可能であり、所望により支持ポーチの上方へ開口した開口部の寸法の調整を可能にする。
【００３１】
本発明の特に好適な形態によれば、バックル装置の一方の部材である第二バックル部材７０は、第一バックル部材８０のまわりに取外し可能に連結できるリング形フラットバックル要素を含む。
【００３２】
この形態は、第二バックル部材７０の開口部の概ね水平直径に対応する回転軸を中心に１８０°離隔した二つの回転位置において第二バックル部材７０の第一バックル部材８０への連結を可能にする。第二バックル部材７０はフラットに置いた前片２２を通る折り線１２４の近傍になるように取り付けられる。第二バックル部材７０は側端１２５に回転不可能に連結されるので、バックル装置は折り線１２４を中心に下へ折り曲げた状態での上縁部１２２の保持に寄与する。可撓性弾性前片２２は、前片２２の本来的弾性により、図１の位置における上縁部１２２の上昇維持もしくは起立維持を可能にする傾向がある。
【００３３】
第二バックル部材７０の特に好適な形態において、第二バックル部材７０は図５−７による概ねリング形のハウジング７６を有し、ハウジング７６は図８−１１による二つの相互に同一のキャリア要素７３を受け、キャリア要素７３は、一対のラッチ要素としてリング形ハウジング７６へ挿入されて図２に示されたような完全な第二バックル部材を形成する前に、図１２による形態に結合される。
【００３４】
各キャリア要素７３の全体的形態は、平面中央部分に開口部８７を有する薄くフラットなプレートであり、二つの概ね平行の相互に対向する縁８８，８８’を含む。縁８８，８８’間で開口部８７の両側にはプレスキー７２およびラッチショルダ７４を形成するプレートまたはディスクの拡大部が形成され、開口部８７を画定している。キャリア要素は更にプレートの平面内で一つの縁８８から概ね直角に他方の縁８８’へ向かって延在するバネ脚７５を有する。このようにして、プレスキー７２、キャリア要素７３、ラッチショルダ７４、およびバネ脚７５はラッチ装置を形成する。
【００３５】
キャリア要素７３は、例えばプラスチック材料等の、バネ弾性材により構成される。
【００３６】
突起１７６が縁８８から突出している。
【００３７】
第二バックル部材（７０）のリング形ハウジング（７６）は、ストラップ（６６）の一端部が貫通するスロット（７１）を含む円錐形自由端（８１）を含み、前記ストラップの一端部にシーム（６９）により連結され、かつ前記ストラップの他端部は調整取付具（６１）に連結される。
リング形ハウジング７６は下部にスロット７１に隣接して壁孔７９を含み、壁孔７９は、一対のキャリア要素７３が図１２に示された結合形態でハウジング７６の貫通チャンネル７７へ挿入されるときに、突起１７６を受ける。
【００３８】
第一バックル部材８０は、第二バックル部材７０が第一バックル部材８０上に通されるときに、第二バックル部材７０の主面に対する端ストッパを形成する相対的に幅広い底プレート８３を含む。第一バックル部材８０は好適には軸に対して回転対称であり、チエストストラップ３１の平面に対して垂直であり、かつ第一バックル部材８０はウエスト部８２および円錐形拡大頭部を有し、拡大頭部はキャリア要素のプレスキーを分離させるためにプレスキーと共働する。
【００３９】
第一バックル部材（８０）のウエスト部は、第二バックル部材（７０）の主面に対する端ストッパ（８３）を形成する相対的に幅広い底プレートと、拡大頭部との間の相対的に幅狭い中間部で構成され、かつ一方の前記キャリア要素（７３）のラッチショルダ（７４）は他方の前記キャリア要素（７３）のバネ脚（７５）と共働する概ね平行の端面を有する。
ウエスト部８２は二つの平行のリング面により形成される。第二バックル部材７０を第一バックル部材８０上から下へ押すときに、ラッチショルダ７４は音が聞こえるようにウエスト部にスナップ止めされ、かつ第二バックル部材７０の離脱に対する形状固定部（Shape fixture）を提供する。第二バックル部材７０のラッチショルダ７４は、操作する手の、例えば親指または人差し指で、相互方向に向けてハウジングのチャンネルへ同時に二つの露出したプレスキー７２を押すことによりウエスト部から離脱する。ユーザは、チエストストラップまたはベルト３１の下から第一バックル部材８０下に親指を置きかつ人差し指および中指で第二バックル部材７０を第一バックル部材８０上へ下降させることにより、リング形第二バックル部材７０を第一バックル部材８０上へプレスすることができる。第二バックル部材７０が第一バックル部材８０上に完全に通されかつ端ストッパ８３に当接して接触するときに第一バックル部材８０上でウエスト部８２を確実に把持する確実性は、端ストッパ（底プレート）８３と端ストッパのウエスト部８２からの距離とにより向上する。
【００４０】
図３に示されたように、第一バックル部材８０はリベット装置８４等によりチエストストラップ３１へ固定される。
【００４１】
第一バックル部材８０は、ストラップまたはベルト等の可撓性材料片から垂直に突出するように取り付けられてよく、かつ第二バックル部材はベルトまたはストラップ等の可撓性材料片へ固定されてよい。第一および第二バックル部材はこのようにして図４に示されたタイプのウエストベルトまたはラップベルトの端部３１’，１２５’に予め取り付けられてよい。
【００４２】
図４から理解されるように、ベルト端の一部は上述のタイプのストラップ装置６０を有してよく、ストラップ装置の一端は一方のバックル部材へ直接連結されてよく、かつ他方の端部はウエストベルトを有効周辺長に調整するために、その端部から所定距離でベルトへ連結されてよい。
【図面の簡単な説明】
【００４３】
【図１】概ね垂直方向に配置のチエストストラップと子供支持ハーネスの前片の側上端領域との間に取り付けた本発明によるバックル装置の概略側面図である。
【図２】子供支持ハーネスの前片に取り付けた本発明によるバックル装置の上方からの概略図である。
【図３】柱形態のバックル装置の一部の概略側面図である。
【図４】開放自在のウエストベルトに取り付けたバックル装置の平面図である。
【図５】バックル装置の第一部材のハウジング側面図である。
【図６】図５のVI-VI線から見た図である。
【図７】図５のVII-VII線から見た図である。
【図８】バックル装置の第一部材のラッチ要素の一面の図である。
【図９】バックル装置の第一部材のラッチ要素の図８と反対側の面の図である。
【図１０】図８のX-X線から見た図である。
【図１１】図８のXI-XI線から見た図である。
【図１２】図５−７に示されたハウジングへ挿入する前の図８−１１による二つのラッチ要素を示す。
【図１】
0004567330.tif 000002
【図２】
0004567330.tif 000003
【図３】
0004567330.tif 000004
【図４】
0004567330.tif 000005
【図５】
0004567330.tif 000006
【図６】
0004567330.tif 000007
【図７】
0004567330.tif 000008
【図８】
0004567330.tif 000009
【図９】
0004567330.tif 000010
【図１０】
0004567330.tif 000011
【図１１】
0004567330.tif 000012
【図１２】
0004567330.tif 000013